(57)【要約】【課題】      製造が容易に行え、また着用感のよく、蒸れることなく快適に着用でき、インナーキャップとしても適した帽子を提供する。【解決手段】  筒状に編成された編物からなり、頭頂部１と本体部２とから構成され、頭頂部のウェール数が本体部のウェール数の半分であり、頭頂部を構成する糸はポリウレタン糸を芯糸としたカバーリングヤーンであり、本体部を構成する糸は伸縮性を有し且つ吸湿・速乾性を有する糸がメインであり、頭頂部から本体部に変移する箇所３において本体部にギャザー２１が形成されていることを特徴とする帽子。【選択図】    図１
2006089853.tif 000002
【特許請求の範囲】
【請求項１】
筒状に編成された編物からなり、頭頂部と本体部とから構成され、前記頭頂部のウェール数が前記本体部のウェール数の半分であり、前記頭頂部から前記本体部に変移する箇所において前記本体部にギャザーが形成されていることを特徴とする帽子。
【請求項２】
筒状に編成された編物からなり、頭頂部と本体部とから構成され、前記頭頂部のウェール数が前記本体部のウェール数の半分であり、前記頭頂部を構成する糸がポリウレタン糸を芯糸としたカバーリングヤーンであり、前記頭頂部から前記本体部に変移する箇所において前記本体部にギャザーが形成されていることを特徴とする帽子。
【請求項３】
筒状に編成された編物からなり、頭頂部と本体部とから構成され、前記頭頂部のウェール数が前記本体部のウェール数の半分であり、前記頭頂部を構成する糸はポリウレタン糸を芯糸としたカバーリングヤーンであり、前記本体部を構成する糸は伸縮性を有し且つ吸湿・速乾性を有する糸がメインであり、前記頭頂部から前記本体部に変移する箇所において前記本体部にギャザーが形成されていることを特徴とする帽子。
【請求項４】
前記頭頂部が開口していることを特徴とする請求項１〜３の何れか１項に記載の帽子。
【請求項５】
前記頭頂部が縫製されて閉じられていることを特徴とする請求項１〜３の何れか１項に記載の帽子。
【請求項６】
前記本体部の下端が斜めになっており、該下端の周縁にポリウレタン製弾性テープが縫着されていることを特徴とする請求項１〜５の何れか１項に記載の帽子。
【請求項７】
前記本体部は首まで覆う長さを有し、該本体部に顔用開口が形成されており、該顔用開口の周縁にポリウレタン製弾性テープが縫着されていることを特徴とする請求項５記載の帽子。
【請求項８】
前記ポリウレタン製弾性テープはオーバーロックミシンにより縁かがり縫いで縫着されていることを特徴とする請求項６または７記載の防塵用帽子。
【発明の詳細な説明】
【技術分野】
【０００１】
本発明は作業用のヘルメットを被る際に予め着用する帽子（インナーキャップ）や作業者の毛髪、ふけ、埃等の落下を防止するために被る帽子（防塵用帽子）に適した帽子に関するものである。
【背景技術】
【０００２】
従来、建設現場や消防など現場においては、頭部の安全性を確保するためにヘルメットの着用が義務付けられている。ヘルメットは外部衝撃から頭部を保護するために強化プラスチック等から構成されているものであるが、このヘルメットを被ったまま作業を行うと頭部に汗をかいてしまう。頭部にヘルメットを被った際に出る汗を吸収するためにタオルを当てたりすることも提案されている。
【０００３】
また、特開２００３−３４２８２３号公報（特許文献１）には、ヘルメット内にインナーキャップを被ることが提案されている。このインナーキャップによって汗を吸収しようとするものである。特許文献１に開示されているインナーキャップは、筒状の布材料の一端側の一定幅を折返して縫製して環状の吸汗帯部を形成し、反対側の端部を４個の山形と谷形とに形成し、山形の隣合う側縁を縫合わせて半球状のキャップ状に仕上げているものである。このようなインナーキャップは、その裁断および縫製に非常に手間が掛かるものである。
【０００４】
一方、防塵用帽子としてはヘアキャップと同様の形状をした比較的簡単な帽子が多用されている。例えば、実用新案登録第３０２３２１４号公報（特許文献２）や特開平１０−１６８６３３号公報（特許文献３）には、このようなヘアキャップ状のものが開示されている。
【０００５】
特許文献２に従来の技術として開示されているように従来の防塵用帽子においては、エレクトレット加工（電石加工）を施した不織布を使用して埃などを吸着するようにしているが、このような不織布は通気性が悪く蒸れてしまうという問題がある。そのため、頭頂部はナイロンメッシュ生地を使用したりしているが、このような帽子は、特許文献３に従来の技術として記載されているように、不織布およびナイロンメッシュ生地をそれぞれ所定形状に裁断し、それらを縫合わせ、帽子の下端縁の処理をしたり、開口縁の全周にゴム紐を縫合するなどの製造工程が必要であり、非常に手間ひまが掛かってしまうという問題がある。
【０００６】
また、特許文献２に開示された発明においては、不織布を円板状に裁断し、この周縁を縫い縮めて、開口縁となるように窄めて、ドーム状のキャップ本体を用意する。他方、帯状の弾性部材をループ状に巻いて、両端部を縫合し、これの一側縁をキャップ本体の開口縁に重ね合わせて縫合して、防塵用キャップを製造する。このように、特許文献２の防塵用キャップを製造するには非常に手間ひまが掛かってしまうという問題がある。
【０００７】
特許文献３には、真円、長円あるいは楕円の対向する両側を直線状に切除した形状の主体部に、この切除した部分に相当する両耳部を上記直線部で縫合して、上記真円、長円あるいは楕円の展開形状とし、この円周部には弾性帯を縫合してギャザー状に絞ったことを特徴とする衛生キャップが開示されている。しかしながら、このキャップは円形に裁断したり、またそれの両側を直線状に裁断し他の布を縫合わせたり、更に円周の周縁にゴム（弾性帯）を入れて、その周縁部を絞り込んで製造しているもので、その工程が複雑であり非常に手間が掛かってしまうという問題がある。
【０００８】
更に、特許文献２および特許文献３に開示されているキャップは、エレクトレット加工を施した素材などを使うため伸び縮みもせず、その下端の周縁部にギャザーが寄っているだけであり、頭部に馴染まず着用者の頭部に合ったものとはならない。従って、このようなものは防塵用帽子としては適しているものであっても、ヘルメットの内側に被るものとしては適したものではない。
【０００９】
【特許文献１】特開２００３−３４２８２３号公報
【特許文献２】実用新案登録第３０２３２１４号公報
【特許文献３】特開平１０−１６８６３３号公報
【発明の開示】
【発明が解決しようとする課題】
【００１０】
本発明は、従来のように製造工程に手間ひまが掛かるという問題を解決し、製造が容易に行え、また着用感のよい帽子を提供するものである。
【００１１】
特に、発汗時などにも適しており、またヘルメットの下に被るのにも適しており、吸湿・速乾性のある帽子を提供するものである。
【００１２】
更に、本発明は、着用しても蒸れることなく快適に着用できるような帽子を提供することを目的とする。
【課題を解決するための手段】
【００１３】
本発明によれば、筒状に編成された編物からなり、頭頂部と本体部とから構成され、前記頭頂部のウェール数が前記本体部のウェール数の半分であり、前記頭頂部から前記本体部に変移する箇所において前記本体部にギャザーが形成されていることを特徴とする帽子により、前述した目的を達成する。
【００１４】
この場合、頭頂部を構成する糸がポリウレタン糸を芯糸としたカバーリングヤーンであることが好ましい。また、本体部を構成する糸として伸縮性を有し且つ吸湿・速乾性を有する糸を主として使用すると、蒸れることがなく、非常に好ましい。
【００１５】
更に、本発明によれば、ヘルメットのインナーキャップに適用する場合は、頭頂部が開口していることが好ましい。
【００１６】
また、防塵用帽子またはヘルメットのインナーキャップとして使用する場合は頭頂部が縫製されて閉じられていることが好ましい。
【００１７】
本発明の帽子はその下端が水平状態でもよいが、帽子の下端縁が髪の毛の生え際に沿うように、本体部の下端を斜めとして、その下端の周縁にポリウレタン製弾性テープを縫着することが好ましい。
【００１８】
本発明の帽子を防塵用として使用する場合、毛髪やフケの落下を完全に防ぐには首の部分まで覆うことが好ましく、本体部が首まで覆う長さを有し、本体部に顔用開口を形成し、この顔用開口の周縁にポリウレタン製弾性テープを縫着することが好ましい。
【００１９】
本発明において、帽子の下端周縁または顔用開口の周縁に縫着する弾性体としてポリウレタン製弾性テープを使用すると、従来のゴム紐を使用したもののようにゴロゴロした感じがなく、開口縁が皮膚に対して押圧感も与えないので、好ましい。また、このポリウレタン製弾性テープはオーバーロックミシンにより帽子の下端周縁または顔用開口の周縁に縁かがり縫いで縫着することができ、縁の始末と同時に縫着することができ、手間が掛らない。
【発明の効果】
【００２０】
本発明の帽子は筒状に編成された編物からなり、このような筒状編物は、例えば、丸編機で効率よく編成することができる。頭頂部の箇所は開口のままとしてもよいし、閉じる場合も裁断・縫製（カットアンドソー）という手法により簡単に形成でき、従来のようにダーツをとったり、複数の山形に裁断してその側縁を縫合わせたりする必要がない。また、帽子の下端縁や顔用開口は、裁断して、オーバーロックミシンにより縁かがりりするだけでよいので、簡単に処理できる。従って、本発明の帽子は手間ひまが掛からずに非常に効率よく製造することができる。
【００２１】
また、本発明の帽子は編物からなる筒状物であり、頭頂部のウェール数を本体部のウェール数の半分としたことにより、頭頂部は本体部よりも狭まっており、頭頂部から本体部に変移する箇所において本体部にギャザーが形成されている。このような形状であるので、従来のようにダーツをとったり、特殊な形状に裁断・縫製しなくとも、本発明の帽子は頭の形状に自然にフィットする。
【００２２】
特に、頭頂部を構成する糸としてポリウレタン糸を芯糸としたカバーリングヤーンを使用した場合、編成中の周長よりも丸編機から外した後の周長が短くなる。そのため、本発明の帽子においては本体部の上部の形状が頭頂部に向かって丸みをおびた立体的な形状となる。また、本体部を構成する糸として伸縮性を有する糸を使用すると、帽子の周方向および高さ方向に対して、編物としての伸縮性とともに編糸自体の伸縮性が相乗的に働くので、本発明の帽子を被ったときに非常によくフィットし、ずれ難いものである。
【００２３】
このような筒状編物において、特に首部のところに弾性糸を編込むことによって、首部が他の部分よりも細くなっている状態となり、本発明の防塵用帽子を着用した際に着用者の首にフィットさせることができる。
【００２４】
また、帽子の下端の周縁や顔用開口の周縁に、ポリウレタン製弾性テープを取付けると、着用者の顔に一層フィットし易くなるものである。このように着用者の顔によくフィットするので、毛髪が帽子の下端や顔用開口からはみだしたりせず、フケがそこから落下したりする虞がない。
【００２５】
本発明によれば、筒状編物を構成する編糸として、種々の編糸が使用でき、また、編物の柄やデザインも丸編機で編成できるものであれば種々のものとすることができる。特に、編糸として吸湿・速乾性を有する糸を使用すれば、より一層蒸れを生ぜずに、長時間着用できる。また、編糸として捲縮加工したフィラメント糸を使用すると、編物の伸縮性がより一層よくなる。
【発明を実施するための最良の形態】
【００２６】
以下、図面に示した実施例に基いて本発明を詳細に説明する。図１は本発明の帽子の第１実施例を示すものであり、本発明の帽子を平に置いたときの状態を示す平面図である。図２は図１に示した実施例の帽子を着用したときに上から見た概略上面図である。
【００２７】
本発明の帽子は丸編機により筒状に編成された編物からなるものである。図示した帽子は径が７インチのダイヤルシリンダタイプの丸編機を使用して編成した。なお、７インチの丸編機は、インナーウェアやガードルを編成するのに従来使用される丸編機よりは径が小さいものであり、一方、靴下やタイツを編成するのに従来使用される丸編機よりも径が大きいものであり、通常は使用されていなかった。
【００２８】
図１および図２に示した第１実施例の帽子は、頭頂部１と本体部２とからなるものであり、頭頂部１から編成が開始され、そして所定長さ編成した後、本体部２が編成される。頭頂部１を編成する際は丸編機の針の内、半数の針（例えば、２４６本）を使用して編成する。この場合、頭頂部１を編成する際に使用する糸は、ポリウレタン糸を芯糸として、これを捲縮加工したナイロン糸などで被覆したカバリングヤーン（ＦＴＹ、ＳＣＹ、ＤＣＹなど）を使用することが好ましい。この実施例では、頭頂部１を平編で編成したが、編方は平編に限定されず、タックや浮き編等を入れてもよい。また、頭頂部１の長さは出来上がり寸法で０．５〜２ｃｍの長さがあればよい。この場合、頭頂部１の出来上がり寸法よりも長めに編成しておき、編成後に出来上がり寸法に裁断し縁かがりを行ってもよいし、或は編成時に袋編としてもよい。
【００２９】
頭頂部１として所定長さ編成した後、丸編機の全針（例えば、４９２本）を使用して本体部２を編成する。頭頂部１から本体部２に変わる箇所３においては、本体部２のウェール数（１コースにおける編目の数）が倍に増えたことにより本体部２側にギャザー２１が形成される。そして、本体部２として必要長さ（例えば、２３〜３０ｃｍ）を編成する。この実施例では、本体部２を平編で編成したが、編方は平編に限定されず、タックや浮き編等を入れてもよく、柄を形成してもよい。編成後に、本体部２の下端を折返して、その端をオーバーロックミシンにより縁かがり縫いして、下端部２２として仕上げた。
【００３０】
本体部２を編成するための糸としては、例えば捲縮加工を施した伸縮性を有する糸を用いるとよい。特に、吸湿・速乾性を有する糸が好ましい。このような糸を使用することにより、本発明の帽子を長時間着用しても、蒸れ感がなく、快適に使用できる。吸湿・速乾性を有する糸としては、例えば、キュープ（登録商標、東レ株式会社の製品）やソフィスタ（登録商標、株式会社クラレの製品）などが適したものである。また、本発明においては捲縮加工糸や吸湿・速乾性を有する糸をメインに使用するが、帯電防止剤を使用した糸や導電性繊維からなる糸などを帽子を構成する編糸の一部として使用してもよい。
【００３１】
第１実施例の帽子では頭頂部１は図２に示すように閉じられておらず、開いた開口１１となっている。また、頭頂部１近傍の本体部２にギャザー２１が形成されているので、本発明の帽子を被った際に着用者の頭部の丸みによく沿ったものとなる。
【００３２】
この実施例のものは頭頂部１が開口しているので、防塵用帽子としてではなく、ヘルメット内に着用するインナーキャップとして適しているものである。頭頂部１が開口しているので、この帽子を着用した人の頭部の熱が頭頂部１の開口１１から発散され、また、その開口１１から空気が流通でき、インナーキャップとして好ましいものである。
【００３３】
この第１実施例においては、本体部２が長くなっているが、着用者が被ったときに、自分に合わせてそのままの長さで使用したり、或は下端部２２を１回または数回折返して着用する。下端部２２を折返して着用すると、下端部２２における汗取り効果が大きい。
【００３４】
図３は本発明の第２実施例を示すものである。この実施例において第１実施例と異なっている点は、本体部２の下端部２２を斜めに裁断していることであり、その他の点は第１実施例と同じである。本体部２の下端部２２の斜めの形状は真直ぐでもよいが、図に示すように途中で段２２ａがついており、この帽子を着用した際に耳が隠れるようにすることが好ましい。また、この下端部２２の周縁にポリウレタン弾性テープをオーバーロックミシンにより縁かがり縫い２３で本体部２に縫着している。この実施例ではポリウレタン弾性テープを帽子の内側に縫付けているため、縫着した縫目２３が示されているだけである。なお、ポリウレタン弾性テープは帽子の外側に縫付けてもよい。このポリウレタン弾性テープとしては、例えばモビロン（登録商標、日清紡績株式会社の製品）などが好適に使用できる。このモビロンテープは１００％ポリウレタンのテープであり肌触りもよいものである。
【００３５】
図４〜図６は本発明の第３実施例を示すものであり、図４は平に置いた状態を示す平面図であり、図５は図４に示した帽子を裏返したときの状態を示す平面図であり、図６は図４に示した実施例の帽子を着用したときに上から見た概略上面図である。
【００３６】
この第３実施例の帽子においては、糸使い、編方等は基本的には第１実施例と同様であるが、頭頂部１がカットアンドソーによりカーブした状態で裁断され縫製されているものである。そのため、頭頂部１となる箇所を編成する際に第１実施例よりも長く編成する（例えば７〜１０ｃｍ）。そして編成後に、頭頂部１は所謂カットアンドソー手法によりメス付きのオーバーロックミシンにより生地をカットしながら縫製１２するものである。頭頂部１の高さＨは図５に示すように、裏から見た場合、一番高い所で４〜７ｃｍ程度とすればよい。図６に示すように、この第３実施例の帽子を着用した場合、頭頂部１は広がって略楕円または略円形となる。この第３実施例の帽子は防塵用帽子としても適しているし、またヘルメットの内側に被るインナーキャップとしても適したものである。
【００３７】
図７は第４実施例の帽子であり、帽子を平に置いたときの状態を示す平面図である。図７に示した第４実施例においては、糸使い、編方等は基本的には第１実施例と同様であるが、図４〜図６に示した第３実施例と同様に頭頂部１が閉じられた形態となっている。そして第２実施例と同様に本体部２の下端部２２は斜めに裁断され、その周縁部にポリウレタン弾性テープが縫目２３により取着されているものである。この第４実施例の帽子は防塵用帽子としても適しているし、またヘルメットの内側に被るインナーキャップとしても適したものである。
【００３８】
図８および図９は本発明の第５実施例を示すものであり、図８は平に置いた状態を示す平面図であり、図９は図８に示した帽子を着用したときの状態を模式的に示す正面図である。この実施例においては、糸使い、編方等は基本的には第１実施例と同様であるが、頭頂部１は図４〜図６に示した第３実施例と同様に閉じられている。この図８および図９に示した第５実施例においては、本体部２が首まで覆う長さを有しており、その本体部の中間に顔を出すための開口２４が形成されている。また、第５実施例においては、首部の部分２５を編成する際に、弾性糸を芯糸としたカバリングヤーン（ＦＴＹ、ＳＣＹ、ＤＣＹ）などが部分的に編込まれており、部分２５のウェール数はそれの上または下に位置する部分のウェール数と同じであるが、絞られた状態となっている。そのため、絞り部２５の上または下に位置する部分にはギャザー２６が形成されている。図８および図９に示した帽子は防塵用帽子として適したものである。
【００３９】
第５実施例において、顔用開口２４は筒状に編物を編成した後、裁断により形成され、その周縁部にはポリウレタン弾性テープがオーバーロックミシンにより縫着されている。なお、この実施例ではポリウレタン弾性テープが帽子の内側に縫い付けられているが、帽子の外側に縫い付けてもよい。このポリウレタン弾性テープとしては、第２実施例において下端部２２の周縁に縫着したポリウレタン弾性テープと同様なものを使用すればよい。
【００４０】
この第５実施例において、首部の絞り部２５は２〜４ｃｍの高さに亘ってカバリングヤーンが編込まれ、カバーリングヤーンが編込まれた部分では少なくとも後頭部側に高さ方向に延びるリブ状突起２７が周方向に多数並列して形成されている。喉部にはリブ状突起２７は形成されておらず、リブ状突起２７が首部の側部から後中心に向かって徐々に長くなっている。
【００４１】
絞り部２５は例えば次のようにして編成する。本体部２を編成する糸Ｙ１とカバーリングヤーンＹ２とを交互に１コースずつ編む。糸Ｙ１は平編目を形成するように編成し、カバーリングヤーンを編成する際は同一のコースにおいて浮き編を３〜６ウェール連続して行い且つ前記浮き編を同一のウェールにおいて繰返す。このようにコース方向に浮き編を連続して行い、しかも浮き編をウェール方向にも繰返し行うことにより、リブ状突起２７が形成される。浮き編をウェール方向に繰返す回数が多い程、リブ状突起２７の長さが長くなる。また、リブ状突起２７が長い方が絞りが大きく、また隣接するリブ状突起２７の間隔が狭いほど絞りが大きくなる。また、絞り部２５を編成する場合は、本体部２を編む場合よりも編目が小さくなるように度目調整を行うことが好ましい。
【００４２】
この第５実施例では、後頭部側が大きく絞られているので、防塵用帽子を着用した際には首によくフィットするとともに、着用者の後頭部の出っ張りはギャザー２６があるので圧迫されることがなく、着用感がよい。
【図面の簡単な説明】
【００４３】
【図１】本発明の帽子の第１実施例を示すものであり、本発明の帽子を平に置いたときの状態を示す平面図である。
【図２】図１に示した実施例の帽子を着用したときに上から見た概略上面図である。
【図３】本発明の帽子の第２実施例を示すものであり、本発明の帽子を平に置いたときの状態を示す平面図である。
【図４】本発明の帽子の第３実施例を示すものであり、本発明の帽子を平に置いたときの状態を示す平面図である。
【図５】図４に示した帽子を裏返したときの状態を示す平面図である。
【図６】図４に示した実施例の帽子を着用したときに上から見た概略上面図である。
【図７】図４に示した実施例の帽子を着用したときに上から見た概略上面図である。
【図８】本発明の帽子の第５実施例を示すものであり、本発明の帽子を平に置いたときの状態を示す平面図である。
【図９】図８に示した帽子を着用したときの状態を模式的に示す正面図である。
【符号の説明】
【００４４】
１  帽子の頭頂部
２  帽子の本体部
１１  開口
２１  ギャザー
２２  下端部
２３  縁かがり縫い
２４  顔用開口
２５  絞り部
２７  リブ状突起
【図１】
2006089853.tif 000003
【図２】
2006089853.tif 000004
【図３】
2006089853.tif 000005
【図４】
2006089853.tif 000006
【図５】
2006089853.tif 000007
【図６】
2006089853.tif 000008
【図７】
2006089853.tif 000009
【図８】
2006089853.tif 000010
【図９】
2006089853.tif 000011